(57)【要約】【課題】後染め処理が可能であって、ダイオキシンの発生が問題視されるポリ塩化ビニルを全く用いることなく層構成してなり、耐久性、耐候性、耐洗濯性、光沢性、装飾変化性、加工性並びに取り扱い性などに優れた装飾用積層フィルムおよびスパンコール並びに当該装飾用積層フィルムの製造方法を提供すること。【解決手段】基材となるベースフィルム層２と、前記ベースフィルム層の両面または片面に接着剤層３を介して積層一体化した表装フィルム層４とからなり、前記ベースフィルム層が、ポリエステルフィルムであり、前記表装フィルム層が、後染め処理が可能なナイロンフィルムであることを特徴とする装飾用積層フィルムおよび当該フィルムからなるスパンコール並びに当該装飾用積層フィルムの製造方法。【選択図】図１
2005066973.tif 000002
【特許請求の範囲】
【請求項１】
基材となるベースフィルム層と、前記ベースフィルム層の両面または片面に接着剤層を介して積層一体化した表装フィルム層とからなり、前記ベースフィルム層がポリエステルフィルムであり、前記表装フィルム層が後染め処理が可能なナイロンフィルムであることを特徴とする装飾用積層フィルム。
【請求項２】
前記ベースフィルム層が、透明フィルムであり、その一方の面に接着剤層を介して表装フィルム層を積層一体化してなることを特徴とする請求項１に記載の装飾用積層フィルム。
【請求項３】
前記ベースフィルム層が、透明フィルムであり、その一方の面に金属蒸着フィルム層を備えたものからなり、前記金属蒸着フィルム層を含むベースフィルム層の外側両面に接着剤層を介して表装フィルム層を積層一体化してなることを特徴とする請求項１に記載の装飾用積層フィルム。
【請求項４】
前記ベースフィルム層が、透明フィルムであり、その両面に金属蒸着フィルム層を備えたものからなり、前記金属蒸着フィルム層を含むベースフィルム層の外側両面に接着剤層を介して表装フィルム層を積層一体化してなることを特徴とする請求項１に記載の装飾用積層フィルム。
【請求項５】
前記ベースフィルム層が、透明フィルムであり、その厚さ方向の中間に金属蒸着フィルム層を備えたものからなり、前記金属蒸着フィルム層を含むベースフィルム層の外側両面に接着剤層を介して表装フィルム層を積層一体化してなることを特徴とする請求項１に記載の装飾用積層フィルム。
【請求項６】
前記ベースフィルム層の厚さが、約１００〜２００μｍであり、前記表装フィルム層の厚さが、約５〜３０μｍであって、前記ベースフィルム層の厚さが、フィルム全体の厚さの約６０〜９５％を占めるものからなることを特徴とする請求項１〜請求項５のいずれかに記載の装飾用積層フィルム。
【請求項７】
請求項１〜請求項６のいずれかに記載の装飾用積層フィルムを用いて、これを所定の輪郭形状に形成し、少なくとも一つの通孔を設けてなることを特徴とするスパンコール。
【請求項８】
透明なポリエステルフィルムからなるベースフィルム層の両面または片面に接着剤層を介して透明なナイロンフィルムからなる表装フィルム層を積層一体化して、後染め処理が可能な積層フィルムを形成する工程と、前記積層フィルムにおける表装フィルム層を染料により染色する工程とからなることを特徴とする装飾用積層フィルムの製造方法。
【請求項９】
前記ベースフィルム層が、金属蒸着フィルム層を含むものからなることを特徴とする請求項８に記載の装飾用積層フィルムの製造方法。
【発明の詳細な説明】
【技術分野】
【０００１】
この発明は、ファッション性に富む衣料製品、鞄あるいは袋物製品、アクセサリー製品、インテリア製品並びに各種広告用飾り物などの装飾部材として用いられる装飾用積層フィルムおよび当該装飾用積層フィルムを用いて形成されるスパンコール並びに当該装飾用積層フィルムの製造方法に係るものであり、特に、後染め処理を可能になすとともに公害対策に適合する装飾用積層フィルムおよびスパンコールに関するものである。
【背景技術】
【０００２】
周知のように、従来のこの種のスパンコール用フィルムは、特許文献１に開示されているもののように、ポリ塩化ビニルフィルム２の両面または片面に接着剤層ａｄを介して、薄膜基材フィルム１１、着色層１３および金属蒸着層１２を有する装飾フィルム層１を積層させた層構成を基本的な構成とするものである。
【０００３】
この特許文献１に記載のスパンコール用フィルムおよびスパンコールは、事前に着色されたフィルム構成のものであり、後染め処理を施すような構成のものではない。さらに、特許文献１に記載のスパンコール用フィルムおよびスパンコールは、ポリ塩化ビニルフィルムを基材とする層構成のものである。このような層構成のものでは、極めて多量に消費される当該スパンコールを用いた各種のスパンコール使用製品を廃棄焼却する際、重大な公害問題として指摘されている、ダイオキシンの発生という極めて重大な問題点を有していた。
【特許文献１】特開平７−３０８９８９号公報
【発明の開示】
【発明が解決しようとする課題】
【０００４】
そこで、この発明では、上記する従来技術の問題点を解消すべくなしたものであって、特に重要な要素は、後染め処理を可能になした装飾用積層フィルムおよびスパンコールを提供するものであり、加えて、ダイオキシンの発生が問題視されるポリ塩化ビニルを全く用いることなく層構成し、耐久性、耐候性、耐洗濯性、光沢性、装飾変化性、加工性並びに取り扱い性などに優れた装飾用積層フィルムおよび当該装飾用積層フィルムを用いて形成されるスパンコール並びに当該装飾用積層フィルムの製造方法を提供するものである。
【課題を解決するための手段】
【０００５】
この発明は、上記する目的を達成するにあたって、具体的には、基材となるベースフィルム層と、前記ベースフィルム層の両面または片面に接着剤層を介して積層一体化した表装フィルム層４とからなり、前記ベースフィルム層がポリエステルフィルムであり、前記表装フィルム層が後染め処理が可能なナイロンフィルムである装飾用積層フィルムを構成するものである。
【０００６】
さらに、この発明において請求項２に記載の発明は、請求項１に記載の装飾用積層フィルムであって、前記ベースフィルム層が、透明フィルムであり、その一方の面に接着剤層を介して表装フィルム層を積層一体化してなることを特徴とするものである。
【０００７】
さらに、この発明において請求項３に記載の発明は、請求項１に記載の装飾用積層フィルムであって、前記ベースフィルム層が、透明フィルムであり、その一方の面に金属蒸着フィルム層を備えたものからなり、前記金属蒸着フィルム層を含むベースフィルム層の外側両面に接着剤層を介して表装フィルム層を積層一体化してなることを特徴とするものである。
【０００８】
さらにまた、この発明において請求項４に記載の発明は、請求項１に記載の装飾用積層フィルムであって、前記ベースフィルム層が、透明フィルムであり、その両面に金属蒸着フィルム層を備えたものからなり、前記金属蒸着フィルム層を含むベースフィルム層の外側両面に接着剤層を介して表装フィルム層を積層一体化してなることを特徴とするものである。
【０００９】
さらにまた、この発明において請求項５に記載の発明は、請求項１に記載の装飾用積層フィルムであって、前記ベースフィルム層が、透明フィルムであり、その厚さ方向の中間に金属蒸着フィルム層を備えたものからなり、前記金属蒸着フィルム層を含むベースフィルム層の外側両面に接着剤層を介して表装フィルム層を積層一体化してなることを特徴とするものである。
【００１０】
さらにまた、この発明において請求項６に記載の発明は、請求項１〜請求項５のいずれかに記載の装飾用積層フィルムであって、前記ベースフィルム層の厚さが、約１００〜２００μｍであり、前記表装フィルム層の厚さが、約５〜３０μｍであって、前記ベースフィルム層の厚さが、フィルム全体の厚さの約６０〜９５％を占めるものからなることを特徴とするものである。
【００１１】
さらに、この発明において請求項７に記載の発明は、請求項１〜請求項６のいずれかに記載の装飾用積層フィルムを用いて、これを所定の輪郭形状に形成し、少なくとも一つの通孔を設けてなるスパンコールを構成するものである。
【００１２】
さらにまた、この発明において請求項８に記載の発明は、透明なポリエステルフィルムからなるベースフィルム層の両面または片面に接着剤層を介して透明なナイロンフィルムからなる表装フィルム層を積層一体化して、後染め処理が可能な積層フィルムを形成する工程と、前記積層フィルムにおける表装フィルム層を染料により染色する工程とからなる装飾用積層フィルムの製造方法を構成するものである。
【００１３】
さらにまた、この発明において請求項９に記載の発明は、請求項８に記載の装飾用積層フィルムの製造方法であって、前記ベースフィルム層が、金属蒸着フィルム層を含むものからなることを特徴とするものである。
【発明の効果】
【００１４】
この発明になる装飾用積層フィルムおよびこれを用いたスパンコール並びに当該装飾用積層フィルムの製造方法によれば、まず第１に、ポリエステルフィルムでなるベースフィルム層の片面あるいは両面に、後染め処理が可能なナイロンフィルムでなる表装フィルム層をもって構成したことにより、後染め処理が可能であるという点において極めて有効に作用するものであり、耐久性、耐候性、耐洗濯性、光沢性、装飾変化性、加工性並びに取り扱い性などに優れた製品を提供し得る点において極めて有効に作用するものといえる。
【００１５】
さらにまた、この発明になる装飾用積層フィルムおよびこれを用いたスパンコールは、ダイオキシンの発生が問題視されるポリ塩化ビニルを全く用いることなく層構成したことにより、極めて多量に消費される当該装飾用積層フィルムを用いた各種のスパンコール使用製品の廃棄焼却時の公害問題を解消することができ、その点においても極めて有効に作用するものといえる。
【発明を実施するための最良の形態】
【００１６】
以下、この発明になる装飾用積層フィルムおよびこれを用いたスパンコール並びに当該装飾用積層フィルムの製造方法について、図面に示す具体的な実施例に基づいて詳細に説明する。図１は、この発明になる装飾用積層フィルムの層構成を拡大して示すものであり、図１Ａは、ベースフィルム層の一方の面に表装フィルム層を設けた層構成になる第１の実施例を示す概略的な断面図であり、図１Ｂは、ベースフィルム層の一方の面に金属蒸着フィルム層を備え、該金属蒸着フィルム層を含むベースフィルム層の外側両面に表装フィルム層を設けた層構成になる第２の実施例を示す概略的な断面図であり、図１Ｃは、ベースフィルム層の両面に金属蒸着フィルム層を備え、該金属蒸着フィルム層を含むベースフィルム層の外側両面に表装フィルム層を設けた層構成になる第３の実施例を示す概略的な断面図であり、図１Ｄは、ベースフィルム層の厚さ方向の中間に金属蒸着フィルム層を備え、該金属蒸着フィルム層を含むベースフィルム層の外側両面に表装フィルム層を設けた層構成になる第４の実施例を示す概略的な断面図である。
【００１７】
一方、図２は、当該装飾用積層フィルムにより円形形状に形成されたスパンコール素子の一例を示す概略的な斜視図であり、図３は、このスパンコール素子を配列縫着形成してなる装飾テープ製品の一例を示す概略的な斜視図である。さらに、図４は、この発明になる装飾用積層フィルムの製造方法を説明するための図であって、図４Ａ〜図４Ｄは、上記第１〜第４の実施例になる装飾用積層フィルムの製造方法を示す概略的な断面図である。
【００１８】
まず、この発明において、最も重要な要素は、図１Ａ、Ｂ、ＣおよびＤに示すような当該装飾用積層フィルム１の層構造にある。この発明において、前記装飾用積層フィルム１は、基本的には、基材となるベースフィルム層２と、このベースフィルム層２の両面２ａ、２ｂまたは片面２ａに接着剤層３を介して積層一体化した表装フィルム層４とからなっている。この発明において、前記ベースフィルム層２は、ポリエステルフィルムによって構成されており、前記表装フィルム層４は、後染め処理が可能なナイロンフィルムによって構成されている。
【００１９】
図１Ａに示すこの発明の第１の実施例になる装飾用積層フィルム１Ａは、前記ベースフィルム層２の片面２ａに接着剤層３を介して積層一体化した表装フィルム層４とからなっている。この第１の実施例になる装飾用積層フィルム１Ａにおいて、前記ベースフィルム層２は、透明フィルムにより構成されており、片面２ａに設けた表装フィルム層４が透けて見え、表装フィルム層４の着色態様で表裏両面が同一色に視認されるものである。
【００２０】
これに対して、図１Ｂ〜図１Ｄに示すこの発明の第２〜第４の実施例になる装飾用積層フィルム１Ｂ〜１Ｄは、金属蒸着フィルム層５を介在したことを特徴とするものである。すなわち、図１Ｂに示すこの発明の第２の実施例になる装飾用積層フィルム１Ｂは、前記ベースフィルム層２が、透明フィルムであり、その一方の面２ａに金属蒸着フィルム層５を備えたものからなり、この金属蒸着フィルム層５を含むベースフィルム層２の外側両面に接着剤層３、３を介して表装フィルム層４、４を積層一体化したものからなっている。
【００２１】
さらにまた、図１Ｃに示すこの発明の第３の実施例になる装飾用積層フィルム１Ｃは、前記ベースフィルム層２が、透明フィルムであり、その両面２ａ、２ｂに金属蒸着フィルム層５、５を備えたものからなり、この金属蒸着フィルム層５、５を含むベースフィルム層２の外側両面に接着剤層３、３を介して表装フィルム層４、４を積層一体化したものからなっている。
【００２２】
さらにまた、図１Ｄに示すこの発明の第４の実施例になる装飾用積層フィルム１Ｄは、前記ベースフィルム層２の厚さ方向の中間に金属蒸着フィルム層５を備えたものからなり、この金属蒸着フィルム層５を含むベースフィルム層２の外側両面に接着剤層３、３を介して表装フィルム層４、４を積層一体化したものからなっている。この第４の実施例になる装飾用積層フィルム１Ｄにおいて、前記ベースフィルム層２は、透明フィルムにより構成されており、当該ベースフィルム層２の片面２ｂ側に金属蒸着フィルム層５を設けておき、当該金属蒸着フィルム層５を接合して、ベースフィルム層２の中間に金属蒸着フィルム層５が介在されるように構成する。この場合、図１Ｄに示すように各ベースフィルム層２、２の片面２ｂ、２ｂの双方に金属蒸着フィルム層５を設けておく必要はなく、その一方だけに金属蒸着フィルム層５を設けた構成のものであってもよい。この第２〜第４の実施例のものは、特に、金属光沢性のあるスパンコール製品を提供し得る点において有効に作用する。
【００２３】
前記ベースフィルム層２の厚さは、約１００〜２００μｍ程度のものであり、より好ましくは約１２５μｍ程度のものである。これに対して、前記表装フィルム層４の厚さは、約５〜３０μｍであって、より好ましくは約１５μｍ程度のものである。一方また、この発明になる装飾用積層フィルム１にあっては、前記ベースフィルム層２の厚さは、フィルム１の全体の厚さの約６０〜９５％を占めるものからなっている。すなわち、層構成において、前記ベースフィルム層２の占める割合が非常に大きなものからなっている。これによって、当該装飾用積層フィルム１の耐久性、耐候性、耐洗濯性、光沢性、加工性並びに取り扱い性などを担保するものである。
【００２４】
上記構成になる装飾用積層フィルム１に対しては、必要に応じて、エンボス加工、 ホログラム加工などの二次的な加工をほどこすこともでき、各種の装飾用積層フィルムとして、とりわけ、スパンコール製品として有効に利用される。
【００２５】
一方、この発明は、 上記する構成になる装飾用積層フィルム１から、図２に示すような形態のスパンコール１１を構成する。上記層構成でなる装飾用積層フィルム１は、これを打ち抜き、あるいは切り抜きなどすることにより、平面視円形状、楕円形状、三角形状、四角形状、 多角形状、任意の図形形状、文字形状のスパンコール１１を供することができる。この所定の輪郭形状に形成されたスパンコール１１に対して、適宜、通孔１２が形成される。
【００２６】
一方、この発明になるスパンコール１１は、図３に示すように、 例えば、テープあるいはブレード状の一次製品２１に加工される。このテープあるいはブレード状の一次製品２１は、テープあるいはブレード２２に対して、前記スパンコール１１を、通糸２３、裏当糸２４、留糸２５により配列縫着したものである。図３に示す実施例は、ほんの一例だあり、その外には、単に、通糸に挿通しただけのものであってもよいし、あるいは、通糸、裏当糸、留糸を用いて留め合わせスパンコール連続体としたものであってもよい。さらには、適宜布地に対して所望のパターンにしたがって配列縫着したものであってもよい。
【００２７】
さらに、この発明になる装飾用積層フィルムの製造方法では、図４Ａ〜図４Ｄに示すように、この発明になる第１〜第４の実施例にそれぞれ対応するものとして構成されている。すなわち、各実施例に共通して、透明なポリエステルフィルムからなるベースフィルム層２の両面または片面に接着剤層３を介して透明なナイロンフィルムからなる表装フィルム層４Ｔを積層一体化して、後染め処理が可能な積層フィルムＬＦを形成する工程と、この積層フィルムＬＦにおける透明な表装フィルム層４Ｔを染料により染色して着色表装フィルム層４Ｃとする工程とからなるっている。この発明において、前記透明なナイロンフィルムを染料により染色するには、この染色に適した染料によって、約８０度の温度条件で、 約３０分の時間で行なわれる。この製造方法においては、前記ベースフィルム層２が、金属蒸着フィルム層５を含むものであることも重要な要素である。
【図面の簡単な説明】
【００２８】
【図１】図１は、この発明になる装飾用積層フィルムの層構成を拡大して示すものであり、図１Ａは、ベースフィルム層の一方の面に表装フィルム層を設けた層構成になる第１の実施例を示す概略的な断面図であり、図１Ｂは、ベースフィルム層の一方の面に金属蒸着フィルム層を備え、該金属蒸着フィルム層を含むベースフィルム層の外側両面に表装フィルム層を設けた層構成になる第２の実施例を示す概略的な断面図であり、図１Ｃは、ベースフィルム層の両面に金属蒸着フィルム層を備え、該金属蒸着フィルム層を含むベースフィルム層の外側両面に表装フィルム層を設けた層構成になる第３の実施例を示す概略的な断面図であり、図１Ｄは、ベースフィルム層の厚さ方向の中間に金属蒸着フィルム層を備え、該金属蒸着フィルム層を含むベースフィルム層の外側両面に表装フィルム層を設けた層構成になる第４の実施例を示す概略的な断面図である。
【図２】図２は、当該装飾用積層フィルムにより円形形状に形成されたスパンコール素子の一例を示す概略的な斜視図である。
【図３】図３は、このスパンコール素子を配列縫着形成してなる装飾テープ製品の一例を示す概略的な斜視図である。
【図４】図４は、この発明になる装飾用積層フィルムの製造方法を説明するための図であって、図４Ａ〜図４Ｄは、上記第１〜第４の実施例になる装飾用積層フィルムの製造方法を示す概略的な断面図である。
【符号の説明】
【００２９】
１  装飾用積層フィルム
１Ａ  装飾用積層フィルムの第１の実施例
１Ｂ  装飾用積層フィルムの第２の実施例
１Ｃ  装飾用積層フィルムの第３の実施例
１Ｄ  装飾用積層フィルムの第４の実施例
２  ベースフィルム層
２ａ  ベースフィルム層の一方の面
２ｂ  ベースフィルム層の他方の面
３  接着剤層
４  表装フィルム層
４Ｔ  透明な表装フィルム層
４Ｃ  着色表装フィルム層
５  金属蒸着フィルム層
１１  スパンコール
１２  通孔
２１  テープ状の一次製品
２２  テープあるいはブレード
２３  通糸
２４  裏当糸
２５  留糸
【図１】
2005066973.tif 000003
【図２】
2005066973.tif 000004
【図３】
2005066973.tif 000005
【図４】
2005066973.tif 000006